(57)【要約】【課題】技術的な実用形態を擬似的に表示させるなかで、意外性のある多様な照明効果を得ることもできる発光装飾体およびこれを組み込んだ電気機器装置の提供。【解決手段】発光面２８を表出させて通電制御を自在に配設された発光素子２７を備えるソケット１３と、発光素子２７の通電発光時に発光面２８からの光が照射される電極４８などの被照射物４７を透明ガラス容器４６内に備えてソケット１３基台上に定置される真空管４３とを少なくとも具備させて発光装飾体１１とした。また、該発光装飾体１１をハーフミラーとミラーとを備える半導体アンプに配設して通電発光時における発光装飾体１１の実像と、該実像と奥行き方向に連なる複数の虚像とを外部からの目視できるようにして電気機器装置とした。【選択図】図１
2007207449.tif 000002
【特許請求の範囲】
【請求項１】
発光面を表出させて通電制御を自在に配設された発光素子を備える基台と、前記発光素子の通電発光時に前記発光面からの光が照射される被照射物を透明カバー内に備えて前記基台上に定置される受光体とを少なくとも具備させたことを特徴とする発光装飾体。
【請求項２】
前記基台は、真空管が備える雄側接触子が挿入される雌側接触子を有するソケットとし、
前記受光体は、少なくとも電極を備える被照射物と、該被照射物を内蔵させた透明ガラス容器からなる前記透明カバーとからなる前記真空管とした請求項１に記載の発光装飾体。
【請求項３】
前記発光素子は、少なくとも前記ソケットの中央部に設けられた通孔を介して前記発光面を表出させた請求項２に記載の発光装飾体。
【請求項４】
前記発光素子は、前記ソケットにおける少なくとも１つの前記雌側接触子相当部位に設けた通孔を介して前記発光面を表出させた請求項２または３に記載の発光装飾体。
【請求項５】
前記ソケットの中央部に配設された前記発光素子のリード端子と、少なくとも１つの前記雌側接触子相当部位に配設された前記発光素子のリード端子とは、相互に直列に接続した請求項４に記載の発光装飾体。
【請求項６】
請求項１ないし５のいずれかに記載の発光装飾体の目視側である前面にはハーフミラーを、前記発光装飾体の前面を除く周面にはミラーをそれぞれ位置させて機器本体に配設し、通電発光時における前記発光装飾体の実像と、該実像と奥行き方向に連なる複数の虚像との外部からの目視を自在としたことを特徴とする電気機器装置。
【請求項７】
機器本体を半導体アンプとした請求項６に記載の電気機器装置。
【発明の詳細な説明】
【技術分野】
【０００１】
本発明は、簡単な構造のもとで電源投入の有無を目視確認できるほか、優れた装飾的な効果をも発揮させることができる真空管などの発光装飾体およびこれを組み込んだ半導体オーディオアンプなどの電気機器装置に関する技術である。
【背景技術】
【０００２】
近時、発光素子（ＬＥＤ）は、次の各特許文献に示すように装飾用や表示用の光源として装置本体に組み込んで使用される例が多くなってきている。
【特許文献１】特開２００１−０１３２７０号公報
【特許文献２】特開２００４−１６６８２５号公報
【特許文献３】特開２００３−０８７９８３号公報
【特許文献４】特開２００３−０７７６３３号公報
【特許文献５】特開２００４−２１４１０１号公報
【特許文献６】特開平１１−１４３４１０号公報
【特許文献７】特開２００４−２５３２３８号公報
【０００３】
このうち、特許文献１に開示されている「時計の発光装飾装置」は、導光性のある光拡散放射機能を有する装飾部材内に発光素子を配置して、該発光素子からの照射光を装飾部材に当ててその全体を明るく光らせるようにした構造を備えるものである。
【０００４】
また、特許文献２に開示されている「遊技機」は、遊技機がその前面に備えるスピーカ本体の近隣に複数個の発光素子を配置し、これらスピーカ本体と発光素子とを透光性と光拡散性のあるスピーカカバーで覆い、該スピーカカバーの全面があたかも発光しているように見えるようにした構造を備えている。
【０００５】
また、特許文献３に開示されている「充電装置」は、台座に携帯電話機などの給電対象を配置する着座部を設け、該着座部の近傍にレンズを併置した導光板を配置し、これらレンズと導光板との下端面側から発光素子の光を照射することで、レンズと導光板との上端面側から投光させるようにした構造を備えている。
【０００６】
また、特許文献４に開示されている「電熱装置」は、透光性樹脂材からなる装置本体の側面に対し、内部から発光素子の光を直接照射したり、導光体を介して照射することで、炎で加熱されているが如きイメージを演出することができるようにした構造を備えている。
【０００７】
また、特許文献５に開示されている「操作ボタン装置」は、頂面を遮光材で覆った導光性樹脂材で形成した操作ボタンを、導光性樹脂材からなる環状台座内に押圧操作可能に配置し、該環状台座の下方に配置した発光素子を発光させてその光の一部を操作ボタン介して環状台座に与えることで効率良く照明することができるようにした構造を備えている。
【０００８】
また、特許文献６に開示されている「自照表示構造」は、発光表示する表示部を有する押しボタンの後方に配置して常時発光させる一方の発光素子と、押しボタンが押された際に発光する他方の発光素子とを備え、一方の発光素子からの光は導光部を経て表示部に到達して押しボタンを常時発光させ、他方の発光素子からの光は表示部に文字またはマークを投影してＯＮ状態にあることを知らせることができるようにした構造を備えている。
【０００９】
さらに、特許文献７に開示されている「装飾用電球」は、口金内に設けた発光素子からの光を、口金に連結させたバルブが備える反射面により径方向に反射させ、その反射光を光透過材からなる装飾板に表示部として設けた反射面で再度反射させ、これにより装飾板の表面に模様等を視認することができるようにした構造を備えている。
【発明の開示】
【発明が解決しようとする課題】
【００１０】
しかし、特許文献１〜７に開示されている技術は、そのいずれもが導光部材を介して発光素子からの光を導き出すことで意匠的な装飾効果を得ることができるものではあっても、必ずしも技術的な実用構造物を直接照射する構造を備えるものではないという不都合があった。
【００１１】
また、特許文献１〜７に示される発光素子が発する光は、そのいずれもが導光部材を介して導くものであり、透明部材を透過させるものではないことから、単に導光部位の一部を散乱光などで光らせるという効果を得ることができるにとどまり、意外性のある多様な照明効果を得ることができないという不具合もあった。
【００１２】
本発明は、上記従来技術の課題に鑑み、技術的な実用形態を擬似的に表示させるなかで、意外性のある多様な照明効果を得ることもできる発光装飾体およびこれを組み込んだ電気機器装置を提供することを目的とするものである。
【課題を解決するための手段】
【００１３】
本発明は、上記目的を達成すべくなされたもので、そのうちの第１の発明（発光装飾体）は、発光面を表出させて通電制御を自在に配設された発光素子を備える基台と、前記発光素子の通電発光時に前記発光面からの光が照射される被照射物を透明カバー内に備えて前記基台上に定置される受光体とを少なくとも具備させたことを最も主要な特徴とする。
特徴とする発光装飾体。
【００１４】
この場合、前記基台は、真空管が備える雄側接触子が挿入される雌側接触子を有するソケットとし、前記受光体は、少なくとも電極を備える被照射物と、該被照射物を内蔵させた透明ガラス容器からなる前記透明カバーとからなる前記真空管とするのが好ましい。
【００１５】
また、前記発光素子は、少なくとも前記ソケットの中央部に設けられた通孔を介して前記発光面を表出させるのが望ましい。さらに、前記発光素子は、前記ソケットにおける少なくとも１つの前記雌側接触子相当部位に設けた通孔を介して前記発光面を表出させることもできる。この場合、前記ソケットの中央部に配設された前記発光素子野リード端子と、少なくとも１つの前記雌側接触子相当部位に配設された前記発光素子のリード端子とは、相互に直列に接続するのが好ましい。
【００１６】
一方、第２の発明（電気機器装置）は、請求項１ないし５のいずれかに記載の発光装飾体の目視側である前面にはハーフミラーを、前記発光装飾体の前面を除く周面にはミラーをそれぞれ位置させて機器本体に配設し、通電発光時における前記発光装飾体の実像と、該実像と奥行き方向に連なる複数の虚像との外部からの目視を自在としたことを最も主要な特徴とする。この場合、機器本体は、半導体アンプとするのが好ましい。
【発明の効果】
【００１７】
請求項１に係る発明によれば、発光素子を備える基台と、発光素子の通電発光時に光が照射される被照射物を透明カバー内に備えて基台上に定置される受光体とを備えているので、透明カバーを通して光り輝く被照射物を目視することで、受光体もしくは電気機器装置が現に通電状態にあることを直ちに知ることができる。また、被照射物が意匠的な効果を伴った適宜の装飾物である場合には、そのデザインに応じた多様な装飾効果を楽しむこともできる。
【００１８】
請求項２に係る発明によれば、ソケットを基台とし、透明ガラス容器からなる透明カバーと、少なくとも電極からなる被照射物とを有する真空管を受光体としてあるので、ソケットに真空管を差し込み、発光素子を通電発光させることで、透明ガラス容器を通して光り輝く電極を含む被照射物を目視することで、受光体もしくは電気機器装置が現に通電状態にあることを直ちに知ることができる。したがって、受光体の全体から真空管のイメージを感受させることができるので、あたかも真空管自体が現に作動中であるかのごときイメージを伴った装飾効果を楽しむこともできる。
【００１９】
請求項３に係る発明によれば、ソケットの中央部に設けられた通孔を介して光を発することで、電極を含む被照射物をその直下方向からまんべんなく照らすことができるので、あたかも擬似的に電極が点灯しているような表示効果をもたらす優れた照明効果を発揮させることができる。
【００２０】
請求項４に係る発明によれば、ソケットにおける少なくとも１つの雌側接触子相当部位に設けた通孔を介して光を発することで、電極を含む被照射物をその斜め下方から照らすことができるので、陰影に富む照明効果を発揮させることができる。また、ソケットの中央部からも光を発することができる場合には、さらに興趣に富む照明効果を発揮させることができる。
【００２１】
請求項５に係る発明によれば、ソケットの中央部に配設された発光素子と、雌側接触子相当部位に配設された発光素子とが直列に接続されているので、ソケットの接触端子数の変更なしに、両発光素子を同時に通電発光させて、より明るい光量のもとで電極を含む被照射物を照射してその装飾的な効果をより印象深いものとすることができる。
【００２２】
請求項６に係る発明によれば、ハーフミラーとミラーとを機器本体に配設したので、外部からは、通電発光時における発光装飾体の実像と、該実像と奥行き方向に連なる複数の虚像とを目視することができ、機器本体がその機能に従った通電作動状態にあることを確認しながら、発光装飾体が連なり輝く様を目視することでその装飾効果も同時に楽しむことができる。
【００２３】
請求項７に係る発明によれば、機器本体が半導体アンプの機能を有しているので、外部から通電発光時における真空管を含む発光装飾体の実像と、該実像と奥行き方向に連なる複数の虚像とを目視することができ、これにより該半導体アンプが真空管特性をも発揮して通電作動状態にあることを強調する訴求効果を有することができる。
【００２４】
この場合、受光体が真空管形状を呈している場合には、通電発光時に真空管の透明ガラス容器を通して光り輝く電極を含む被照射物を目視することで、機器本体が半導体アンプであるにもかかわらず、ミラー効果により１本の真空管で奥行き方向に光り輝く真空管列を見ながらあたかもアナログアンプが作動中であるかの如きイメージを看者に感受させることができる。
【発明を実施するための最良の形態】
【００２５】
図１は、本発明における第１の発明の一例を示す分解斜視図であり、図２は、図１の例についての使用時（発光時）における状態を示す全体斜視図である。また、図３は、図１の例における基台側の拡大平面図を、図４は、図３のＡ−Ａ線矢視方向での縦断面図をそれぞれ示す。
【００２６】
これらの図によれば、発光装飾体１１の全体は、発光面２８を表出させて通電制御を自在に配設された発光素子２７を備える基台１２と、発光素子２７の通電発光時に発光面２８からの光が照射される被照射物４７を透明カバー４５内に備えて基台１２上に定置される受光体４２とを少なくとも備えて形成されている。
【００２７】
この場合、発光装飾体１１は、ソケット１３としての基台１２と、真空管３３としての受光体４２とで構成されている。
【００２８】
すなわち、基台１２は、後述する真空管４３が備える複数本の雄側接触子４４が挿入される雌側接触子３０を有するソケット１３として形成されている。
【００２９】
そして、該ソケット１３は、例えば図５に示す機器本体５２における小隔室５７の底面６１などの相手材への位置固定を自在に形成された保持台部１４と、該保持台部１４を介して保持されるソケット本体部２４とで構成されている。
【００３０】
この場合、保持台部１４は、翼状に突設された一端部１５と他端部１６とにネジ挿通用の通孔１７を有し、かつ、その中央部にソケット本体部２４の上面２５側の表出を自在に形成された円形の開口面１８を備えて形成されている。
【００３１】
また、略円形を呈するソケット本体部２４は、その中央部に設けられたやや大径な通孔２６を介して発光面２８（２８ａ）を表出させて配設されたやや大径な一方の発光素子２７（２７ａ）を備えている。
【００３２】
さらに、ソケット本体部２４は、通孔２６の周りに同心円状に配列された計１０個のやや小径な通孔２９が形成されており、そのうちの９個の通孔２９内には雌側接触子３０が配設され、残りの１個の通孔２９には発光面２８（２８ｂ）を表出させて配設されたやや小径な他方の発光素子２７（２７ｂ）が配設されている。
【００３３】
しかも、一方の発光素子２７（２７ａ）と他方の発光素子２７（２７ｂ）とは、リード端子３１を介して開閉制御が自在なスイッチを備える図示しない直流電源に対し図４に示すように直列に接続されている。
【００３４】
また、受光体４２は、その底面４３ａからピン状に突設された計９本の雄側接触子４４を有する真空管４３として形成されている。すなわち、真空管４３は、透明ガラス容器４６からなる透明カバー４５と、該透明ガラス容器４６内に内蔵されている陽極と陰極とグリッドとを含む電極４８からなる被照射物４７とを備えて形成されている。
【００３５】
一方、図５は、第２の発明の一例を示す要部斜視図であり、図６は、第２の発明が備えるミラーの平面視方向での配置パターン例を示す説明図である。
【００３６】
これらの図によれば、電気機器装置５１は、略直方体形状を呈するケーシング５４内に図示しない必要な増幅回路等を備えた半導体アンプ５３を装置本体５２とすることで形成されている。
【００３７】
この場合、ケーシング５４の前面５５には、必要な操作ダイヤル５６等が配設されているほか、発光装飾体１１が収容される小隔室５７が配設されている。
【００３８】
この場合、小隔室５７は、その前面開口部５８側が透明ガラス５９で覆われており、該透明ガラス５９の奥側の対向面にハーフミラー６０が設置されている。
【００３９】
該ハーフミラー６０の奥側に位置する小隔室５７の底面６１には、受光体４２を真空管３３とする発光装飾体１１が基台１２であるソケット１３における保持台部１４が備える通孔１７を介してネジ止めすることで配置されている。
【００４０】
また、発光装飾体１１の前面を除く周面には、通電発光時における発光装飾体１１の実像６３と、該実像６３と奥行き方向に連なる複数の虚像６４とを外部から目視自在とすべく、ミラー６２が配置されている。
【００４１】
この場合、ミラー６２は、例えば図６（ａ）に示す配置パターンや、同図（ｂ）に示す配置パターンなど、要は通電発光時における発光装飾体１１の実像６３と、該実像６３と奥行き方向に連なる複数の虚像６４とを外部（前面５５）側から目視できるように反射させることができる配置関係にありさえすればよい。
【００４２】
次に、第１の発明の作用・効果を説明すれば、発光装飾体１１は、ソケット１３を基台１２とし、透明ガラス容器４６からなる透明カバー４５と、電極４８を含む被照射物４７とを有する真空管４３を受光体４２としてある。
【００４３】
このため、発光装飾体１１は、ソケット１３の各雌側接触子３０に真空管４３の対応する各雄側接触子４４を差し込むことで簡単に組み立てることができる。
【００４４】
また、組立て後の発光装飾体１１は、発光素子２７（２７ａ，２７ｂ）を通電発光させることで、透明ガラス容器４６を通して光り輝く電極４８を含む被照射物４７を目視することで、受光体４２が現に通電状態にあるかのごとく表示することができる。
【００４５】
また、受光体４２は、その全体から真空管４３のイメージを感受させることができるので、その通電時にあたかも真空管４３自体が現に作動中であるかのごときイメージを伴った装飾効果を楽しむこともできる。
【００４６】
この場合、被照射物４７に対しては、ソケット１３の中央部に位置する一方の発光素子２７ａと、外周側に位置する他方の発光素子２７ｂとからその照射位置を変えて真空管４３の底面４３ａを介して光を発することができるので、電極４８を含む被照射物４７を興趣に富む陰影を伴わせて光り輝かせることができ、優れた照明効果を発揮させることができる。
【００４７】
一方、第２の発明の作用・効果を説明すれば、機器本体５２が半導体アンプ５３の機能を有しているので、図５に示すように通電発光時における真空管４３を含む発光装飾体１１の実像６３と、該実像６３と奥行き方向に連なる複数の虚像６４とをハーフミラー６０を介して外部から目視することができ、これにより該半導体アンプ５３が通電作動状態にあることを確認することができる。
【００４８】
また、受光体４２は、真空管４３の形状を呈しているので、通電発光時に真空管４３の透明ガラス容器４６を通して光り輝く電極４８を含む被照射物４７を目視することで、機器本体５１が半導体アンプ５３であるにもかかわらず、奥行き方向で光り輝く真空管４３（実像６３および虚像６４の列）を見ながらあたかも真空管も作動中であるかの如きイメージを看者に感受させ、半導体アンプが真空管アンプの特性を備えていることを強調することができる。
【００４９】
以上は、本発明を図示例に基づいて説明したものであり、その具体的構成はこれに限定されるものではない。例えば、基台１２と受光体４２とは、ソケット１３と真空管４３との組み合わせに限るものではない。すなわち、発光装飾体１１は、発光面２８を表出させて通電制御を自在に配設された発光素子２７を備える基台１２と、発光素子２７の通電発光時に発光面２８からの光が照射される被照射物４７を透明カバー４５内に備えて基台１２上に定置される受光体４２とを備えるものでさえあれば、その全てが含まれる。
【００５０】
また、発光素子２７は、その設置個数や設置位置を自由に選択することができ、その発光色も発光装飾体１１の機能や用途に応じて適宜選定することができる。
【００５１】
さらに、電気機器装置５１は、半導体アンプ機能を備えたものに限定されるものではなく、適宜の電気的な機能を有するあれば、その全てに適用することができる。
【図面の簡単な説明】
【００５２】
【図１】本発明における第１の発明（発光装飾体）の一例を示す分解斜視図。
【図２】図１の例についての使用時（発光時）における状態を示す全体斜視図。
【図３】図１の例における基台側の拡大平面図。
【図４】図３のＡ−Ａ線矢視方向での縦断面図
【図５】発光装飾体を通電発光させた際における第２の発明（機器装置）の一例を示す要部斜視図。
【図６】第２の発明が備えるミラーの平面視方向での配置パターン例を（ａ），（ｂ）として示す説明図。
【符号の説明】
【００５３】
１１  発光装飾体
１２  基台
１３  ソケット
１４  保持台部
１５  一端部
１６  他端部
１７  通孔
１８  開口面
２４  ソケット本体部
２５  上面
２６  通孔
２７，２７ａ，２７ｂ  発光素子
２８，２８ａ，２８ｂ  発光面
２９  通孔
３０  雌側接触子
３１  リード端子
４２  受光体
４３  真空管
４４  雄側接触子
４５  透明カバー
４６  透明ガラス容器
４７  電極
５１  電気機器装置
５２  機器本体
５３  半導体アンプ
５４  ケーシング
５５  前面
５６  操作ダイヤル
５７  小隔室
５８  前面開口部
５９  透明ガラス
６０  ハーフミラー
６１  底面
６２  ミラー
６３  実像
６４  虚像
【図１】
2007207449.tif 000003
【図２】
2007207449.tif 000004
【図３】
2007207449.tif 000005
【図４】
2007207449.tif 000006
【図５】
2007207449.tif 000007
【図６】
2007207449.tif 000008